(57)【要約】【課題】操作性の良い換気扇装置を提供する。【解決手段】換気扇装置１０は、プーリユニット３０を備え、換気対象の換気を行う換気扇本体２０と、換気扇本体２０が嵌め込まれ、換気扇本体２０を回転可能に支持する枠体４１と、枠体に離間して配置された枠体４２と、一部がプーリユニット３０に取り付けられ、両端部のうち、一方の端部が引っ張られることにより、換気扇本体２０に回転運動を伝達するワイヤ部材Ｗとを有する。プーリユニット３０から引き出されたワイヤ部材Ｗの端部は、換気扇本体２０から枠体４２側に引き出されている。【選択図】図５
2014169808.tif 000002
【特許請求の範囲】
【請求項１】
第１プーリユニットを備え、換気対象の換気を行う換気扇本体と、
前記換気扇本体が嵌め込まれ、前記換気扇本体を回転可能に支持する第１枠体と、
前記第１枠体に離間して配置された第２枠体と、
一部が前記第１プーリユニットに取り付けられ、両端部のうち、一方の端部が引っ張られることにより、前記換気扇本体に回転運動を伝達するワイヤ部材と、
を有し、
前記第１プーリユニットから引き出された前記ワイヤ部材の両端部は、前記換気扇本体から前記第２枠体側に引き出されていることを特徴とする換気扇装置。
【請求項２】
前記第１プーリユニットの内部には、前記ワイヤ部材が巻き付けられるワイヤロック部が形成され、
前記ワイヤ部材は、前記ワイヤロック部に少なくとも１回以上巻き付けられることで、前記第１プーリユニットに取り付けられていることを特徴とする請求項１に記載の換気扇装置。
【請求項３】
前記ワイヤロック部は、長円柱板状に形成されていることを特徴とする請求項２に記載の換気扇装置。
【請求項４】
前記第２枠体に回転可能に取り付けられた第２プーリユニットを有し、
前記ワイヤ部材は、前記第２プーリユニットに掛けられた後に、鉛直下方に垂れ下がっていることを特徴とする請求項１乃至３のいずれか一項に記載の換気扇装置。
【請求項５】
前記第１枠体に回転可能に取り付けられた第３プーリユニットを有し、
前記ワイヤ部材は、前記第３プーリユニットに掛けられた後に、前記第２プーリユニットに掛けられていることを特徴とする請求項４に記載の換気扇装置。
【請求項６】
前記換気扇本体を回転させないように、前記換気扇本体に形成された被係止部に係止する係止部と、
前記ワイヤ部材に連繋されるとともに、前記係止部と前記被係止部との係止を解除する係止解除部と、
を有し、
前記係止解除部は、前記ワイヤ部材の端部が引っ張られることによって、前記係止部と前記被係止部との係止を解除することを特徴とする請求項１乃至５のいずれか一項に記載の換気扇装置。
【請求項７】
前記係止解除部に回転可能に取り付けられた第４プーリユニットを有し、
前記第１プーリユニットから引き出された前記ワイヤ部材は、前記第４プーリユニットに掛けられることで、前記係止解除部は、前記ワイヤ部材に連繋されていることを特徴とする請求項６に記載の換気扇装置。
【請求項８】
前記係止解除部は、支持軸によって、前記第１枠体に対して回動可能に取り付けられ、
前記係止解除部の一端には、前記係止部が接続されるとともに、前記係止解除部の他端には、前記第４プーリユニットが取り付けられ、
前記係止解除部は、前記ワイヤ部材の端部が引っ張られることによって、前記第４プーリユニットが、前記支持軸を中心に回動し、
前記第４プーリユニットの回動に伴って、前記係止部が移動して、前記係止部と前記被係止部との係止が解除されることを特徴とする請求項７に記載の換気扇装置。
【発明の詳細な説明】
【技術分野】
【０００１】
本発明は、換気扇装置に関する。
【背景技術】
【０００２】
近年、農作物の育成においては、天候に左右されず、農作物の安定した品質を保持するために、ビニールハウスが用いられることがある。ビニールハウスには、ハウス内に外気を吸引することにより、欠乏した炭酸ガスの供給や、光合成を促進させて作物の病気を防ぐことなどのために、一般に、換気扇装置が取り付けられている。例えば、特許文献１には、ビニールハウスの妻面に取り付けられた換気扇装置が、開示されている。
【０００３】
特許文献１に記載の換気扇装置では、換気の方向を変えるために回転可能に支持された換気扇本体が、ビニールハウスの妻面からオフセットされた状態で設置されている。そして、換気扇本体に回転可能に連繋されているワイヤの両端が、換気扇本体からそのまま鉛直下方に垂れ下がっている。この換気扇装置の換気の方向を変える場合、ユーザが、ワイヤの両端部のいずれかを引っ張ることで、換気扇本体は回転し、これにより、換気扇装置は、ビニールハウス内の空気を外部に排出する排気状態、及びビニールハウス外部の空気を内部に吸気する吸気状態のいずれかの状態になる。
【先行技術文献】
【特許文献】
【０００４】
【特許文献１】特開２０１０−６５８５６号公報
【発明の概要】
【発明が解決しようとする課題】
【０００５】
特許文献１に記載の換気扇装置では、ワイヤの両端は、換気扇本体からそのまま鉛直下方に垂れ下がっている。このため、例えば、ビニールハウス内の農作物の畑を防虫ネットが覆っている場合、ワイヤの両端が、防虫ネットに干渉するおそれがある。これにより、ユーザが、換気扇装置の操作をしづらくなるおそれがある。または、防虫ネットにワイヤを通すための穴が必要になる。この場合、穴から交配用のマルハナバチが、外に逃げてしまう。
【０００６】
本発明は、上述の事情の下になされたもので、操作性の良い換気扇装置を提供することを目的とする。
【課題を解決するための手段】
【０００７】
上述の目的を達成するために、本発明に係る換気扇装置は、
第１プーリユニットを備え、換気対象の換気を行う換気扇本体と、
前記換気扇本体が嵌め込まれ、前記換気扇本体を回転可能に支持する第１枠体と、
前記第１枠体に離間して配置された第２枠体と、
一部が前記第１プーリユニットに取り付けられ、両端部のうち、一方の端部が引っ張られることにより、前記換気扇本体に回転運動を伝達するワイヤ部材と、
を有し、
前記第１プーリユニットから引き出された前記ワイヤ部材の両端部は、前記換気扇本体から前記第２枠体側に引き出されている。
【０００８】
前記第１プーリユニットの内部には、前記ワイヤ部材が巻き付けられるワイヤロック部が形成され、
前記ワイヤ部材は、前記ワイヤロック部に少なくとも１回以上巻き付けられることで、前記第１プーリユニットに取り付けられていてもよい。
【０００９】
前記ワイヤロック部は、長円柱板状に形成されていてもよい。
【００１０】
前記第２枠体に回転可能に取り付けられた第２プーリユニットを有し、
前記ワイヤ部材は、前記第２プーリユニットに掛けられた後に、鉛直下方に垂れ下がっていてもよい。
【００１１】
前記第１枠体に回転可能に取り付けられた第３プーリユニットを有し、
前記ワイヤ部材は、前記第３プーリユニットに掛けられた後に、前記第２プーリユニットに掛けられていてもよい。
【００１２】
前記換気扇本体を回転させないように、前記換気扇本体に形成された被係止部に係止する係止部と、
前記ワイヤ部材に連繋されるとともに、前記係止部と前記被係止部との係止を解除する係止解除部と、
を有し、
前記係止解除部は、前記ワイヤ部材の端部が引っ張られることによって、前記係止部と前記被係止部との係止を解除するようにしてもよい。
【００１３】
前記係止解除部に回転可能に取り付けられた第４プーリユニットを有し、
前記第１プーリユニットから引き出された前記ワイヤ部材は、前記第４プーリユニットに掛けられることで、前記係止解除部は、前記ワイヤ部材に連繋されていてもよい。
【００１４】
前記係止解除部は、支持軸によって、前記第１枠体に対して回動可能に取り付けられ、
前記係止解除部の一端には、前記係止部が接続されるとともに、前記係止解除部の他端には、前記第４プーリユニットが取り付けられ、
前記係止解除部は、前記ワイヤ部材の端部が引っ張られることによって、前記第４プーリユニットが、前記支持軸を中心に回動し、
前記第４プーリユニットの回動に伴って、前記係止部が移動して、前記係止部と前記被係止部との係止が解除されてもよい。
【発明の効果】
【００１５】
本発明によれば、操作性に優れた換気扇装置を提供できる。
【図面の簡単な説明】
【００１６】
【図１】本発明の実施形態に係る換気扇装置の第１状態における斜視図（その１）である。
【図２】本発明の実施形態に係る換気扇装置の第２状態における斜視図である。
【図３】第１状態における換気扇装置の正面図である。
【図４】第１状態における換気扇装置の側面図である。
【図５】第１状態における換気扇装置の斜視図（その２）である。
【図６】第１状態における換気扇装置の分解斜視図である。
【図７】換気扇本体の正面図である。
【図８Ａ】換気扇本体の斜視図である。
【図８Ｂ】換気扇本体の一部を拡大した斜視図（その１）である。
【図８Ｃ】換気扇本体の一部を拡大した斜視図（その２）である。
【図９】換気扇本体のプーリユニットの分解斜視図である。
【図１０】換気扇本体のプーリユニットの一部を分解した斜視図である。
【図１１】換気扇本体のプーリユニットの断面図である。
【図１２】枠体ユニットの斜視図である。
【図１３】伝達機構部等の構造図である。
【図１４】換気扇装置が取り付けられたビニールハウスの斜視図である。
【図１５】第１状態の換気扇装置の使用状態を説明するための側面図である。
【図１６】第２状態の換気扇装置の使用状態を説明するための側面図である。
【図１７】換気扇装置の動作を説明するための斜視図（その１）である。
【図１８】換気扇装置の動作を説明するための構造図（その１）である。
【図１９】換気扇装置の動作を説明するための構造図（その２）である。
【図２０】換気扇装置の動作を説明するための斜視図（その２）である。
【図２１】換気扇装置の動作を説明するための構造図（その３）である。
【図２２】換気扇装置の動作を説明するための構造図（その４）である。
【図２３】比較例に係る換気扇装置の使用状態を説明するための側面図である。
【発明を実施するための形態】
【００１７】
以下、本発明の実施形態に係る換気扇装置１０について図を用いて説明する。なお、理解を容易にするために、ＸＹＺ座標を設定し、適宜参照する。
【００１８】
換気扇装置１０は、例えば、ビニールハウスの換気を行うために用いられる。換気扇装置１０は、図１に示すように、換気扇本体２０と、枠体ユニット４０と、ワイヤ部材Ｗとを有する。換気扇本体２０は、枠体ユニット４０の枠体４１に回転可能に支持されている。本実施形態に係る換気扇装置１０は、換気扇本体２０を回転させることで、図１に示すような、＋Ｙ方向に風を送り出す第１状態と、図２に示すような、−Ｙ方向に風を送り出す第２状態とのいずれかの状態になるように切り替えられる。
【００１９】
換気扇本体２０は、図１及び図３に示すように、回転羽根２１を有し、この回転羽根２１の回転に基づいて、換気対象の換気を行う。換気扇本体２０は、回転羽根２１に加えて、枠２２と、モータユニット２３と、ファンガード２４とを有する。
【００２０】
回転羽根２１は、モータユニット２３の出力軸に取り付けられている。回転羽根２１は、その回転により、換気扇装置１０が取り付けられた施設の外部又は内部に空気を送り出す部材である。例えば、図４に示すように、回転羽根２１が回転することにより、回転羽根２１は、空気を＋Ｙ方向（背面方向）に送り出す。回転羽根２１は、図５に示すように、本実施形態においては、３枚の羽根を有している。３枚の羽根は、モータユニット２３の出力軸を中心とする円周に沿って、等間隔に形成されている。
【００２１】
枠２２は、図６に示すように、略板状に形成された部材であり、回転羽根２１、モータユニット２３、及びファンガード２４を支持する。枠２２には、Ｙ軸方向に貫通する丸孔形状の貫通孔２２ａが形成されている。貫通孔２２ａ内には、回転羽根２１が配置される。
【００２２】
図７に示すように、枠２２には、回転軸２５、２６が形成されている。詳しくは、回転軸２５は、枠２２の上面（＋Ｚ側の面）に、上方に突出するように形成されている。また、回転軸２６は、枠２２の下面（−Ｚ側の面）に下方に突出するように形成されている。
【００２３】
図８Ａに示すように、枠２２には、回転止め部２７Ｒ、２７Ｌ及び被係止部２８Ｒ、２８Ｌが形成されている。
【００２４】
回転止め部２７Ｒ、２７Ｌは、換気扇本体２０が、所定の回転角度以上に回転しないように規制するために用いられる。回転止め部２７Ｒは、図８Ｂに示すように、ＸＹ断面が略Ｕ字型形状に形成され、枠２２の下面から下方に突出するように形成されている。詳しくは、回転止め部２７Ｒは、ＹＺ平面に平行となるように形成された一対の側壁部２７ａ、２７ｂと、ＸＺ平面に平行となるように形成された側壁部２７ｃとからなる。同様に、回転止め部２７Ｌは、図８Ｃに示すように、ＸＹ断面が略Ｕ字型形状になるように形成され、枠２２の下面から下方に突出するように形成されている。回転止め部２７Ｌは、ＹＺ平面に平行に形成された一対の側壁部２７ａ、２７ｂと、ＸＺ平面に平行に形成された側壁部２７ｃとからなる。
【００２５】
被係止部２８Ｒ、２８Ｌは、図８Ｂ及び図８Ｃに示すように、ＹＺ平面に平行な板状の部材である。被係止部２８Ｒ、２８Ｌには、Ｘ軸方向に沿って溝部２８ａが形成されている。この溝部２８ａには、後述するロックピン６２の先端部６２ａが挿入される。なお、本実施形態においては、被係止部２８Ｒ、２８Ｌは、溝部２８ａが形成された板状の部材であるが、これに限らず、ロックピン６２が挿入できる形状であれば、これ以外の形状であってもよい。例えば、溝部２８ａが形成された板状の部材ではなく、孔部が形成された板状の部材であってもよい。
【００２６】
モータユニット２３は、図１に示すように、４本のスポーク部材２３ａによって、枠２２に固定されている。モータユニット２３は、例えば、出力軸、ロータ、ステータ等を有している。モータユニット２３には、図示しないケーブル等を介して、商用電源から電圧が供給される。モータユニット２３に電圧が供給されることによって、モータユニット２３のロータが回転する。このロータの回転運動は、出力軸に出力される。
【００２７】
ファンガード２４は、例えば、金属からなる網状の部材である。ファンガード２４は、枠２２の貫通孔２２ａを覆うように、枠２２の−Ｙ側から、枠２２に取り付けられている。ファンガード２４は、作業者が、誤って、回転する回転羽根２１に触れることを防止するために用いられる。
【００２８】
また、換気扇本体２０は、図６に示すように、上記各部材（回転羽根２１、枠２２、モータユニット２３、及びファンガード２４）に加えて、プーリユニット３０をさらに有する。
【００２９】
プーリユニット３０は、枠２２の下面（−Ｚ側の面）に固定され、枠２２とともに回転する部材である。プーリユニット３０は、図９に示すように、上板部材３１と、中板部材３２と、下板部材３３と、ワイヤ部材Ｗを巻き付けて固定するためのワイヤロック部３４とを有する。プーリユニット３０は、例えば、ボルト等によって、図７に示すように、枠２２の下面に固定される。これにより、プーリユニット３０は、枠２２ともに回転する。
【００３０】
上板部材３１は、図９に示すように、円板形状に形成されている。上板部材３１には、Ｚ軸方向に貫通する貫通孔３１ａが形成されている。貫通孔３１ａには、回転軸２６が挿通される。
【００３１】
中板部材３２は、上板部材３１の下面（−Ｚ側の面）に固定される。中板部材３２は、略円板形状に形成されている。詳しくは、中板部材３２は、その直径が、上板部材３１の直径よりもやや小さい略円板形状に形成されている。中板部材３２には、Ｚ軸方向に貫通する貫通孔３２ａが形成されている。貫通孔３２ａには、回転軸２６が挿通される。また、中板部材３２には、切欠部３２ｂが形成されている。この切欠部３２ｂは、一部が開放された略長円孔形状に形成されている。
【００３２】
下板部材３３は、中板部材３２の下面（−Ｚ側の面）に固定される。下板部材３３は、上板部材３１の同等の形状及び寸法の円板形状に形成されている。下板部材３３には、Ｚ軸方向に貫通する貫通孔３３ａが形成されている。貫通孔３３ａには、回転軸２６が挿通される。
【００３３】
ワイヤロック部３４は、略長円板形状に形成されている。このワイヤロック部３４は、切欠部３２ｂの内周面から離間した状態で、切欠部３２ｂ内に配置される。これにより、図１０に示すように、ワイヤロック部３４の外周面と、切欠部３２ｂの内周面との間には、所定の幅の溝部が形成される。この溝部の幅は、ワイヤ部材Ｗの直径と、ほぼ同等の寸法である。
【００３４】
ワイヤ部材Ｗは、図５に示すように、プーリユニット３０に取り付けられ、両端部のうち、一方の端部が引っ張られることにより、換気扇本体２０に回転運動を伝達する部材である。ワイヤ部材Ｗは、例えば、直径が２ｍｍ、長さが２０００ｍｍのステンレスワイヤからなる。ワイヤ部材Ｗは、プーリユニット３０に固定され、ワイヤ部材Ｗの両端部は、換気扇本体２０から枠体４２側（＋Ｙ側）に引き出され、枠体４２から鉛直下方（−Ｚ方向）に垂れ下がっている。
【００３５】
上述のワイヤ部材Ｗは、図１１に示すように、プーリユニット３０のワイヤロック部３４に巻き付けられる。また、中板部材３２の上面（＋Ｚ側の面）には、図１０に示すように、ねじ等で、上板部材３１が取り付けられる。同様に、中板部材３２の下面（−Ｚ側の面）には、ねじ等で、下板部材３３が取り付けられる。上板部材３１及び下板部材３３が取り付けられることにより、ワイヤ部材Ｗは、上下方向に挟みこまれる。以上により、ワイヤ部材Ｗは、プーリユニット３０に対して固定される。
【００３６】
枠体ユニット４０は、図１２に示すように、枠体４１、４２と、連結部材４３と、補強部材４４とを有する。枠体ユニット４０は、例えば、鋼材からなる。
【００３７】
枠体４１は、換気扇本体２０が嵌め込まれて、換気扇本体２０を回転可能に支持する部材である。枠体４１は、略正方形状に形成されている。枠体４１は、正方形の４つの辺に相当する上枠部材４５と、下枠部材４６と、横枠部材４７Ｒ、４７Ｌとから構成される。
【００３８】
上枠部材４５の下面（−Ｚ側の面）には、孔部４５ａが形成されている。この孔部４５ａには、上述した回転軸２５を挿入される。また、下枠部材４６の上面（＋Ｚ側の面）には、孔部４６ａが形成されている。この孔部４６ａには、上述した回転軸２６を挿入される。回転軸２５、２６が、孔部４５ａ、４６ａに挿入されることにより、換気扇本体２０は、枠体４１に対して回転可能に支持される。また、下枠部材４６の上面には、円柱形状の凸部４６ｂが形成されている。凸部４６ｂは、＋Ｚ方向に突出するように形成されている。
【００３９】
枠体４２は、枠体４１から＋Ｙ側に離間して設けられている。枠体４２は、枠体４１の４辺の長さと同等の長さからなる略正方形状に形成されている。
【００４０】
連結部材４３は、枠体４１の四方の角部（頂点の部分）と、枠体４２の四方の角部（頂点の部分）とを連結する部材である。連結部材４３は、例えば、Ｌ形断面の山形鋼材である。本実施形態においては、連結部材４３の本数は、４本である。
【００４１】
補強部材４４は、枠体ユニット４０の構造的な強度を高めるための部材である。補強部材４４は、板状の部材である。本実施形態において、補強部材４４の本数は、２本である。補強部材４４は、＋Ｘ側及び−Ｘ側から、枠体４１、４２に取り付けられる。
【００４２】
換気扇装置１０は、図６に示すように、上述した換気扇本体２０、ワイヤ部材Ｗ、及び枠体ユニット４０に加えて、伝達機構部５０をさらに有する。
【００４３】
伝達機構部５０は、図１３に示すように、プーリユニット５１〜５３と、プーリユニット６１を有するロックユニット６０と、ロックユニット６０等を収納するケース５４とを有する。ケース５４は、ボルトやねじ等の止め具によって、枠体４１の下枠部材４６の上面（＋Ｚ側の面）に固定されている。
【００４４】
プーリユニット５１は、ケース５４に対して、Ｚ軸方向に平行な回転軸５１ａ回りに回転可能に支持されている。プーリユニット５１には、ワイヤ部材Ｗが、ロックユニット６０のプーリユニット６１に掛けられて後に、掛けられている。
【００４５】
プーリユニット５２は、ケース５４に対して、Ｘ軸方向に平行な回転軸５２ａ回りに回転可能に支持されている。プーリユニット５２は、回転軸５２ａと、Ｘ軸方向に重ねられるように配置された２つのプーリ５２ｂ、５２ｃとを有する。−Ｘ側のプーリ５２ｂには、ワイヤ部材Ｗが、プーリユニット５１に掛けられた後で、掛けられている。＋Ｘ側のプーリ５２ｃには、ワイヤ部材Ｗが、プーリユニット６１に掛けられた後で、掛けられている。
【００４６】
プーリユニット５３は、枠体４２に対して、Ｘ軸方向に平行な回転軸５３ａ回りに回転可能に支持されている。プーリユニット５３は、回転軸５３ａと、Ｘ軸方向に重ねられるように配置された２つのプーリ５３ｂ、５３ｃとを有する。−Ｘ側のプーリ５３ｂには、ワイヤ部材Ｗが、プーリユニット５２のプーリ５２ｂに掛けられた後で、掛けられる。＋Ｘ側のプーリ５３ｃには、ワイヤ部材Ｗが、プーリユニット５２のプーリ５２ｃに掛けられた後で、掛けられる。プーリユニット５３のプーリ５３ｂ、５３ｃに掛けられたワイヤ部材Ｗの両端部は、図６に示すように、鉛直下方（−Ｚ方向）に垂れ下がっている。
【００４７】
ロックユニット６０は、換気扇本体２０を第１状態及び第２状態のいずれかに保持するために用いられる。ロックユニット６０は、図１３に示すように、ロックピン６２と、係止解除部６３と、スプリング６４と、プーリユニット６１とを有する。
【００４８】
ロックピン６２は、−Ｘ側の先端部６２ａが、被係止部２８Ｌの溝部２８ａに挿入される。これにより、換気扇本体２０は、Ｚ軸回りに非回転状態となるように係止される。ロックピン６２の＋Ｘ側の端部は、接続ピン６２ｂによって、係止解除部６３に接続されている。
【００４９】
係止解除部６３は、略Ｌ字型に形成された板状の部材である。係止解除部６３は、ワイヤ部材Ｗの端部が引っ張られることによって、ロックピン６２と被係止部２８Ｌとの係止を解除する。係止解除部６３は、プーリユニット６１を介して、ワイヤ部材Ｗに連繋されている。また、係止解除部６３は、支持軸６３ａによって、枠体４１に回動可能に支持されている。
【００５０】
スプリング６４は、例えば、圧縮コイルばねから構成されている。スプリング６４は、ロックピン６２を−Ｘ方向に付勢する。
【００５１】
プーリユニット６１は、係止解除部６３の＋Ｘ側の端部に、Ｚ軸方向に平行な回転軸６１ａ回りに回転可能に支持されている。プーリユニット６１は、Ｚ軸方向に２つのプーリが重ねられた２段式プーリである。下側（−Ｚ側）のプーリには、プーリユニット３０から時計回りに引き出されたワイヤ部材Ｗが、掛けられている。上側（＋Ｚ側）のプーリには、プーリユニット３０から反時計回りに引き出されたワイヤ部材Ｗが、掛けられている。
【００５２】
また、ワイヤ部材Ｗの両端部には、図６に示すように、取手部１１Ａ、１１Ｂが取り付けられている。取手部１１Ａ、１１Ｂは、換気扇装置１０を操作するユーザが掴んで、ワイヤ部材Ｗの端部を引く動作を容易にするための部材である。取手部１１Ａ、１１Ｂは、例えば、本実施形態では、チェーンである。
【００５３】
上述のように構成された換気扇装置１０は、例えば、図１４に示すように、ビニールハウス１００の妻面１０１（＋Ｙ側の側面）に取り付けられる。詳しくは、図１５に示すように、換気扇装置１０の枠体ユニット４０の枠体４２が、妻面１０１に形成された開口１０１ａに取り付けられる。枠体４２が、開口１０１ａに取り付けられることで、換気扇本体２０は、妻面１０１から、ビニールハウス１００の内部１０１Ａ側（−Ｙ側）にオフセットされた状態で配置される。また、ビニールハウス１００内では、例えば、トマト１０２ａがなる複数本の作物１０２が栽培されている。ただし、栽培対象は、トマト１０２ａに限られない。例えば、イチゴであってもよいし、これら以外の果物、野菜であってもよい。作物１０２は、防虫ネット１０３によって覆われている。防虫ネット１０３は、作物１０２のトマト１０２ａを害虫から保護したり、トマト１０２ａの交配用のマルハナバチが外部に逃げてしまうことを防いだりする。
【００５４】
なお、本実施形態においては、枠体４２には、電動シャッター７０が取り付けられている。電動シャッター７０は、ビニールハウス１００の内部１００Ａと外部１００Ｂとが連通する連通状態と、内部１００Ａと外部１００Ｂとが連通しない非連通状態とに切り替える開閉装置である。
【００５５】
次に、換気扇装置１０の、図１５に示す第１状態から図１６に示す第２状態に切り替える動作について説明する。なお、換気扇装置１０が、図１４及び図１５に示すように、ビニールハウス１００の妻面１０１に取り付けられた場合、図１５に示す第１状態は、換気扇本体２０が、ビニールハウス１００の内部１００Ａから外部１００Ｂに、空気を排出する排気状態である。そして、図１６に示す第２状態は、換気扇本体２０が、ビニールハウス１００の外部１００Ｂから内部１００Ａに、空気を吸入する吸気状態である。
【００５６】
先ず、換気扇装置１０のユーザが、取手部１１Ａを、図１７に示すように、下方（−Ｚ方向）に引っ張ると、図１６中の矢印に示されるように、ワイヤ部材Ｗが引っ張られる。
【００５７】
ワイヤ部材Ｗが引っ張られると、図１８に示すように、ロックユニット６０の係止解除部６３が、支持軸６３ａを中心に、Ｚ軸回りに回動する。なお、この時には、プーリユニット３０は回転しない。係止解除部６３は、ケース５４に形成された回転規制部５５に当接するまで回動する。係止解除部６３が支持軸６３ａを中心に回動すると、係止解除部６３に接続されたロックピン６２が、スプリング６４の付勢力に抗して、＋Ｘ方向に移動する。これにより、ロックピン６２と被係止部２８Ｌとの係止が解除される。
【００５８】
さらに、ワイヤ部材Ｗが引っ張られると、図１９に示すように、プーリユニット３０が、回転軸２６を中心に、Ｚ軸回りに回動する。これにより、図２０に示すように、換気扇本体２０が、Ｚ軸回りに回動する。
【００５９】
図２１に示すように、プーリユニット３０が、Ｚ軸回りに１８０°まで回動すると、回転止め部２７Ｒが、枠体４１の下枠部材４６に形成された凸部４６ｂに当接する。これにより、所定回転角度以上の換気扇本体２０の回転を防止しつつ、換気扇装置１０は、第１状態から第２状態に切り替えられる。
【００６０】
次に、ユーザが、取手部１１Ａから手を離すことにより、ロックピン６２は、図２２に示すように、スプリング６４の付勢力に沿って、−Ｘ方向に移動する。これにより、ロックピン６２の先端部６２ａが、被係止部２８Ｒの溝部２８ａに挿入され、ロックピン６２と被係止部２８Ｒとが係止される。この結果、換気扇装置１０は、図２に示すような第２状態（吸気状態）に保持される。
【００６１】
なお、換気扇装置１０を、第２状態（吸気状態）から第１状態（排気状態）に切り替える動作は、図１７を参照するとわかるように、換気扇装置１０のユーザによって、取手部１１Ｂが、下方（−Ｚ方向）に引っ張られることで行われる。
【００６２】
以上、説明したように、本実施形態に係る換気扇装置１０では、図５に示すように、ワイヤ部材Ｗの端部は、換気扇本体２０から枠体４２側（＋Ｙ側）に引き出されている。したがって、ワイヤ部材Ｗの端部は、換気扇本体２０からそのまま鉛直下方には垂れ下がっておらず、図１５に示すように、ビニールハウス１００の妻面１０１側に引き出されてから垂れ下がっている。このため、換気扇本体２０の下方に、防虫ネット１０３が配置されていた場合でも、ワイヤ部材Ｗの両端が、防虫ネット１０３に干渉しにくくなる。
【００６３】
例えば、図２３に示すように、ワイヤ部材Ｗの両端が、換気扇本体２０からそのまま鉛直下方に垂れ下がっている換気扇装置２１０の場合、換気扇本体２０は、妻面１０１から、ビニールハウス１００の内部１００Ａ側（−Ｙ側）にオフセットされた状態で配置されるため、垂れ下がったワイヤ部材Ｗの両端が、防虫ネット１０３に干渉するおそれがある。この結果、ユーザが、換気扇装置１０の操作をしづらくなる。もしくは、防虫ネット１０３に、ワイヤ部材Ｗを通すための穴１０３ａを作らなければならない。この場合、穴１０３ａから、トマト１０２ａの交配用のマルハナバチが、外に逃げてしまうおそれがある。
【００６４】
これに対し、本実施形態においては、図１５に示すように、ワイヤ部材Ｗの端部は、ビニールハウス１００の妻面１０１側に引き出されてから垂れ下がっているため、防虫ネット１０３に干渉しにくくなる。これにより、ユーザが、換気扇装置１０の操作を行いやすくなる。また、防虫ネット１０３に、ワイヤ部材Ｗを通すための穴１０３ａを作る必要もないため、穴１０３ａから、トマト１０２ａの交配用のマルハナバチが、外に逃げてしまうおそれもない。
【００６５】
また、本実施形態では、図１３に示すように、プーリユニット３０の内部に、ワイヤ部材Ｗが巻き付けられるワイヤロック部３４が形成されている。このため、ワイヤ部材Ｗを確実にプーリユニット３０に固定できる。これにより、ユーザが、ワイヤ部材Ｗの取手部１１Ａ、１１Ｂを引っ張った場合に、換気扇本体２０が空回りしたりせずに、を安定して回動させることができる。結果として、ユーザが、換気扇装置１０の操作を行いやすくなる。
【００６６】
また、プーリユニット３０のワイヤロック部３４が形成されていることにより、ユーザが、ワイヤ部材Ｗを容易にプーリユニット３０に巻き付けて、組み付けることができる。
【００６７】
また、換気扇装置１０の伝達機構部５０は、図１７に示すように、枠体４２に回転可能に取り付けられたプーリユニット５３を有している。そして、ワイヤ部材Ｗは、プーリユニット５３に掛けられてから、鉛直下方に垂れ下がっている。このため、ユーザが、ワイヤ部材Ｗの取手部１１Ａ、１１Ｂを引っ張った場合に、このプーリユニット５３の回転作用に基づいて、大きな力を必要とすることなく、換気扇本体２０を円滑に回動させることができる。結果として、ユーザが、換気扇装置１０の操作を行いやすくなる。
【００６８】
また、換気扇装置１０の伝達機構部５０は、枠体４１に回転可能に取り付けられたプーリユニット５２を有している。そして、ワイヤ部材Ｗは、このプーリユニット５２に掛けられている。このため、ユーザが、ワイヤ部材Ｗの取手部１１Ａ、１１Ｂを引っ張った場合に、このプーリユニット５２の回転作用に基づいて、大きな力を必要とすることなく、換気扇本体２０を円滑に回動させることができる。結果として、ユーザが、換気扇装置１０の操作を行いやすくなる。
【００６９】
同様に、換気扇装置１０の伝達機構部５０は、図１７に示すように、ワイヤ部材Ｗが掛けられるプーリユニット５１、６１を有している。このため、ユーザが、ワイヤ部材Ｗの取手部１１Ａ、１１Ｂのいずれかを引っ張った場合に、このプーリユニット５１、６１の回転作用に基づいて、大きな力を必要とすることなく、換気扇本体２０を円滑に回動させることができる。結果として、ユーザが、換気扇装置１０の操作を行いやすくなる。
【００７０】
また、換気扇装置１０の伝達機構部５０は、換気扇装置１０を第１状態（排気状態）又は第２状態（吸気状態）に保持するロックユニット６０を有している。このため、換気扇装置１０の動作中に、換気扇本体２０の回転羽根２１の回転の勢いにより、換気扇本体２０が、枠体ユニット４０に対して揺れて、換気扇装置１０の動作が、不安定になることを防ぐことができる。
【００７１】
また、換気扇装置１０においては、ユーザが、ワイヤ部材Ｗの取手部１１Ａ、１１Ｂのいずれかを引っ張ることにより、ロックユニット６０のロックピン６２と被係止部２８Ｒ、２８Ｌとの係止が解除され、その後、換気扇本体２０が回動する。このため、ユーザが、ワイヤ部材Ｗの取手部１１Ａ、１１Ｂを引っ張る動作のみで、ロックピン６２と被係止部２８Ｒ、２８Ｌとの係止の解除と、換気扇本体２０の回動とが連続して行われる。これにより、ユーザにとって、換気扇装置１０の使い勝手が良好になる。
【００７２】
また、換気扇装置１０では、換気扇本体２０の枠２２の下面に、回転止め部２７Ｒ、２７Ｌが形成されている。この回転止め部２７Ｒ、２７Ｌは、第１状態から第２状態に切り替わるとき、又は、第２状態から第１状態に切り替わるときの、換気扇本体２０の所定回転角度以上の回転を防止する。これにより、換気扇装置１０を、第１状態から第２状態に、又は、第２状態から第１状態に確実に切り替えることができる。
【００７３】
以上、本発明の実施形態について説明したが、本発明は上記実施形態に限定されるものではない。
【００７４】
例えば、本実施形態では、ワイヤ部材Ｗは、プーリユニット３０のワイヤロック部３４に１回巻き付けられことで、プーリユニット３０に固定されている。しかしながら、ワイヤ部材Ｗの固定方法は、これに限らない。例えば、ねじなどによって、ワイヤ部材Ｗは、プーリユニット３０に固定されていてもよい。または、ワイヤ部材Ｗは、ワイヤロック部３４に２回以上巻き付けられことで、プーリユニット３０に固定されていてもよい。
【００７５】
また、本実施形態では、ワイヤロック部３４は、長円柱板状に形成されている。しかしながら、これに限らず、ワイヤロック部３４は、ワイヤ部材Ｗが巻き付けられる形状であれば、これ以外の形状であってもよい。
【００７６】
また、本実施形態では、換気扇装置１０の使用例として、ビニールハウス１００に取り付けた例を示している。しかしながら、換気扇装置１０の取り付けの対象は、これに限られない。例えば、換気扇装置１０を工場に取り付けて、工場の換気に用いることもできる。また、ビニールハウス１００や工場以外の設備に取り付けることもできる。
【００７７】
本発明は、本発明の広義の精神と範囲を逸脱することなく、様々な実施形態及び変形が可能とされるものである。上述した実施形態は、本発明を説明するためのものであり、本発明の範囲を限定するものではない。
【符号の説明】
【００７８】
１０、２１０  換気扇装置
１１Ａ、１１Ｂ  取手部
２０  換気扇本体
２１  回転羽根
２２  枠
２２ａ  貫通孔
２３  モータユニット
２３ａ  スポーク部材
２４  ファンガード
２５、２６  回転軸
２７Ｒ、２７Ｌ  回転止め部
２７ａ、２７ｂ、２７ｃ  側壁部
２８Ｒ、２８Ｌ  被係止部
２８ａ  溝部
３０  プーリユニット（第１プーリユニット）
３１  上板部材
３１ａ、３２ａ、３３ａ  貫通孔
３２  中板部材
３２ｂ  切欠部
３３  下板部材
３４  ワイヤロック部
４０  枠体ユニット
４１  枠体（第１枠体）
４２  枠体（第２枠体）
４３  連結部材
４４  補強部材
４５  上枠部材
４５ａ、４５ｂ  孔部
４６  下枠部材
４６ｂ  凸部
４７Ｒ、４７Ｒ  横枠部材
５０  伝達機構部
５１  プーリユニット
５１ａ、５２ａ、５３ａ  回転軸
５２  プーリユニット（第３プーリユニット）
５２ｂ、５２ｃ  プーリ
５３  プーリユニット（第２プーリユニット）
５３ｂ、５３ｃ  プーリ
５４  ケース
５５  回転規制部
６０  ロックユニット
６１  プーリユニット（第４プーリユニット）
６２  ロックピン（係止部）
６２ａ  先端部
６２ｂ  接続ピン
６３  係止解除部
６３ａ  支持軸
６４  スプリング
７０  電動シャッター
１００  ビニールハウス
１００Ａ  内部
１００Ｂ  外部
１０１  妻面
１０１ａ  開口
１０２  作物
１０２ａ  トマト
１０３  防虫ネット
１０３ａ  穴
Ｗ  ワイヤ部材
【図１】
2014169808.tif 000003
【図２】
2014169808.tif 000004
【図３】
2014169808.tif 000005
【図４】
2014169808.tif 000006
【図５】
2014169808.tif 000007
【図６】
2014169808.tif 000008
【図７】
2014169808.tif 000009
【図８Ａ】
2014169808.tif 000010
【図８Ｂ】
2014169808.tif 000011
【図８Ｃ】
2014169808.tif 000012
【図９】
2014169808.tif 000013
【図１０】
2014169808.tif 000014
【図１１】
2014169808.tif 000015
【図１２】
2014169808.tif 000016
【図１３】
2014169808.tif 000017
【図１４】
2014169808.tif 000018
【図１５】
2014169808.tif 000019
【図１６】
2014169808.tif 000020
【図１７】
2014169808.tif 000021
【図１８】
2014169808.tif 000022
【図１９】
2014169808.tif 000023
【図２０】
2014169808.tif 000024
【図２１】
2014169808.tif 000025
【図２２】
2014169808.tif 000026
【図２３】
2014169808.tif 000027